(57)【特許請求の範囲】
【請求項１】
ソファ−とベッドとの変換ができるソファ−ベッド装置において、
脚部材によって所定の高さで支持される矩形状のフレ−ムと、
このフレ−ムの長手方向一端側と他端側とにそれぞれ配置されるボ−ド体と、上記フレ−ムの長手方向一端側と他端側との下面側に設けられ上記ボ−ド体を上記フレ−ムの長手方向の端部から幅方向一端側へ回動変位可能に支持した移動機構とを具備し、
上記移動機構は、
上記フレ−ムの長手方向の端部にこのフレ−ムの幅方向に沿って設けられた取付け部材と、
一端が上記ボ−ド体の幅方向一端部に枢着され他端が上記取付け部材の長手方向中途部に枢着されていて、上記ボ−ド体が上記フレ−ムの長手方向の端部に位置する状態でこのフレ−ムの長手方向に対して他端が一端よりフレ−ムの幅方向内方に位置するよう所定の角度で傾斜した第１のア−ムと、
一端が上記ボ−ド体の幅方向他端部に枢着され他端が上記取付け部材の長手方向中途部に枢着されていて、上記ボ−ド体が上記フレ−ムの長手方向の端部に位置する状態で上記第１のア−ムと交差するよう所定の角度で傾斜した第２のア−ムとからなることを特徴とするソファ−ベッド装置。
【請求項２】
上記ボ−ド体の幅寸法は上記フレ−ムの幅寸法とほぼ同じに設定され、上記フレ−ムの長さ寸法は上記ボ−ド体の幅寸法のほぼ２倍に設定されていることを特徴とする請求項１記載のソファ−ベッド装置。
【発明の詳細な説明】
【０００１】
【発明の属する技術分野】
この発明はソファ−およびベッドに変換して利用することができるソファ−ベッド装置に関する。
【０００２】
【従来の技術】
従来より、狭い室内空間を有効に利用したり、利用価値を高めるためなどに、利用状況に応じてソファ−あるいはベッドとして利用することができるソファ−ベッドが知られている。
【０００３】
ソファ−ベッドには種々の構成のものがあり、その１つにフレ−ム上に、その長手方向に沿って座部シ−トを設け、この座部シ−トの後端側に背部シ−トをヒンジ機構によって回動自在かつ所定の角度で保持可能に連結した構成のものが知られている。
【０００４】
上記構成のソファ−ベッドによれば、上記背部シ−トを所定の角度で起立させればソファ−として利用することができ、上記背部シ−トを座部シ−トと水平になるように倒せば、これらの上面をベッド面として利用することができる。
【０００５】
しかしながら、ベッドとして利用する場合には、背部シ−トを水平に倒し座部シ−トと並設してベッド面とするため、これら両者の間に接合部が生じ、その接合部によってベッドとしての性能低下を招くということがあった。
【０００６】
しかも、ベッドとして利用する場合、ヘッドボ−ドやフットボ−ドがない状態で使用することになるから、ベッドとしての性能が十分に得られなかったり、外観が低下するなどのことがあった。
【０００７】
【発明が解決しようとする課題】
このように、従来のソファ−ベッドは座部体と背部体とを有し、ベッドとして利用する場合には座部体を水平に倒すようにしていたので、ベッド面の幅方向中央部分に長手方向全長にわたる接合部が生じ、この接合部によってベッド面全体にわたり均一なクッション性が得られなくなるため、ベッドとしての性能が低下するということがあった。しかも、ベッドとして利用するときにヘッドボ−ドやフットボ−ドがないため、ベッドとしての性能や外観の低下を招くということがあった。
この発明は、ベッドとしての性能や外観の低下を招くことなく利用できるようにしたソファ−ベッド装置を提供することにある。
【０００８】
【課題を解決するための手段】
請求項１の発明は、ソファ−とベッドとの変換ができるソファ−ベッド装置において、
脚部材によって所定の高さで支持される矩形状のフレ−ムと、
このフレ−ムの長手方向一端側と他端側とにそれぞれ配置されるボ−ド体と、上記フレ−ムの長手方向一端側と他端側との下面側に設けられ上記ボ−ド体を上記フレ−ムの長手方向の端部から幅方向一端側へ回動変位可能に支持した移動機構とを具備し、
上記移動機構は、
上記フレ−ムの長手方向の端部にこのフレ−ムの幅方向に沿って設けられた取付け部材と、
一端が上記ボ−ド体の幅方向一端部に枢着され他端が上記取付け部材の長手方向中途部に枢着されていて、上記ボ−ド体が上記フレ−ムの長手方向の端部に位置する状態でこのフレ−ムの長手方向に対して他端が一端よりフレ−ムの幅方向内方に位置するよう所定の角度で傾斜した第１のア−ムと、
一端が上記ボ−ド体の幅方向他端部に枢着され他端が上記取付け部材の長手方向中途部に枢着されていて、上記ボ−ド体が上記フレ−ムの長手方向の端部に位置する状態で上記第１のア−ムと交差するよう所定の角度で傾斜した第２のア−ムとからなることを特徴とする。
【０００９】
請求項２の発明は、請求項１の発明において、上記ボ−ド体の幅寸法は上記フレ−ムの幅寸法とほぼ同じに設定され、上記フレ−ムの長さ寸法は上記ボ−ド体の幅寸法のほぼ２倍に設定されていることを特徴とする。
【００１０】
請求項１の発明によれば、ボ−ド体をフレ−ムの長手方向端部に位置させれば、そのボ−ド体をベッド用のヘッドボ−ドおよびフットボ−ドとして利用でき、幅方向一端側へ移動させればソファ−用の背もたれとして利用することができる。
【００１１】
請求項２の発明によれば、ボ−ド体をフレ−ムの長手方向端部から幅方向一端側へ回動変位させて背もたれとして利用する際、一対のボ−ド体はフレ−ムの一側のほぼ全長にわたる長さになるから、フレ−ムの一側の全長に背もたれが設けられることになる。
【００１２】
【発明の実施形態】
以下、この発明の一実施形態を図面を参照して説明する。
図１はこの発明のソファ−ベッド装置の分解斜視図を示し、このソファ−ベッド装置は矩形枠状のフレ−ム１を有し、このフレ−ム１の下面四隅部にはそれぞれ脚部材２ａ、２ｂが垂設されている。上記フレ−ム１の幅方向一側に位置する一対の脚部材２ａは他側に位置する一対の脚部材２ｂよりもフレ−ム１の長手方向内方に位置している。
【００１３】
上記フレ−ム１の長手方向中央部と両端部にはそれぞれ横部材３が架設されている。中央部に位置する横部材３の下面には、フレ−ム１の長手方向の中央部分が下方手撓むのを防止する補助脚部材４が垂設されている。
【００１４】
上記フレ−ム１の長手方向両端部にはそれぞれボ−ド体５が配置されている。このボ−ド体５は下端にキャスタ６が設けられた一対の固定支柱７が連結部材８によって上記フレ−ム１の幅寸法とほぼ同じ間隔で連結されている。つまり、ボ−ド体５の幅寸法はフレ−ム１の幅寸法とほぼ同じに設定されていて、その幅寸法は上記フレ−ム１の長さ寸法の約半分になっている。上記連結部材８の両端部は屈曲され、それによって中途部がフレ−ム１の下面側に入り込んでいる。
【００１５】
なお、連結部材８の一端部はフレ−ム１の一側の脚部材２ａの外側に位置し、他端部は他側の脚部材２ｂの内側に位置している。それによって、ボ−ド体５は後述するようにフレ−ム１の長手方向の端部から幅方向他側へ回動させることが可能となっている。
【００１６】
上記固定支柱７の上端には可動支柱９がヒンジ１１によって回動可能かつ所定の回動角度で保持可能に連結されている。一対の可動支柱９には、取付け杆１２およびこの取付け杆１２よりも下方に規制杆１３が架設されている。
【００１７】
上記取付け杆１２には帯板状のベ−ス板１４が一対の取付け具１４ａによって回動自在に連結され、このベ−ス板１４にはこれを心材としてクッション体１５が取り付けられている。
【００１８】
上記規制杆１３はＬ字状に屈曲された両端が上記可動支柱９に連結され、それによって中途部が上記クッション体１５の下部背面側に位置している。したがって、規制杆１３は上記クッション体１５が上記取付け杆１２を支点として下端側が後方へ回動するのを阻止している。
【００１９】
上記連結部材８の一端部の上面には第１のア−ム１６の一端部が回動自在に連結され、他端部の下面には第２のア−ム１７の一端部が回動自在に連結されている。第１のア−ム１６と第２のア−ム１７の他端は、上記フレ−ム１の長手方向端部に位置する取付部材としての横部材３の下面側に取付板３ａを介して回動自在に連結されている。つまり、第１のア−ム１６の他端は第２のア−ム１７の他端よりもフレ−ム１の幅方向他側側（脚部材２ｂ側）に位置している。
【００２０】
なお、第１のア−ム１６と第２のア−ム１７との一端は連結部材８に異なる高さで取り付けられているから、その高さの差に応じて各ア−ム１６、１７の他端は異なる高さのスペ−サ１６ａ、１７ａを介して上記横部材３の下面に枢着される。
【００２１】
上記ボ−ド体５がフレ−ム１の長手方向の端部に位置した状態で、上記第１のア−ム１６と第２のア−ム１７とはＸ字状に交差している。上記ボ−ド体５は第１のア−ム１６と第２のア−ム１７の他端を支点としてフレ−ム１の長手方向一端から幅方向他側へ回動させることができる。それによって、Ｘ字状に交差した一対のア−ム１６、１７はＶ字状に位置することになる。
【００２２】
なお、連結部材８はフレ−ム１の他側の脚部材２ｂの内方に位置するから、この脚部材２ｂと連結部材８との係合によってボ−ド体５が自由に回動するのを規制している。
【００２３】
上記フレ−ム１の上面には床板１８が載置され、この床板１８上には上記フレ−ム１と一体となったマットレス１９が設けられている。
つぎに、上記構成のソファ−ベッド装置をベッドの状態とソファ−の状態で使用する場合について説明する。
【００２４】
一対のボ−ド体５が図３に実線で示すようにフレ−ム１の長手方向両端部に位置するときには、一方のボ−ド体５をヘッドボ−ドとして利用することができ、他方のボ−ド体５をフットボ−ドとして利用することができる。つまり、ベッドはヘッドボ−ドおよびフットボ−ドを備えているから、ボ−ド体がないベッドに比べて性能や外観の向上が計れる。
【００２５】
上記ボ−ド体５がフレ−ム１の長手方向両端に位置するベッドの状態からソファ−の状態に変換する場合には、一対のボ−ド体５を図３に矢印で示すようにフレ−ム１の長手方向端部から幅方向他端側へ回動させる。一対のボ−ド体５が上記フレ−ム１の幅方向他端側に位置することで、これらボ−ド体５が背もたれとなり、マットレス１９が座部となるから、全体をソファ−として利用することができる。
【００２６】
ソファ−あるいはベッドとして利用する場合、上記ボ−ド体５のクッション体１５を図４に実線で示す垂直状態から鎖線で示すように前方へ回動させることで、ソファ−の場合には背もたれとなる上記ボ−ド体５の高さ寸法を変えたり、マットレス１９の幅方向に対する位置、つまりマットレス１９の前端からクッション体１５までの奥行き寸法を変えることができるから、利用者の好みに応じた形態のソファ−として利用することができる。
【００２７】
ベッドの場合には、上記クッション体１５を回動変位させることで、利用者がたとえば読書をするような場合などにベッド上で上半身を起こしたときに、上記クッション体１５を背当てとして寄り掛かって利用することができるから、上半身を起こした姿勢を楽に維持することができる。
【００２８】
しかも、上記クッション体１５は、取付け杆１２に回動自在に設けられ、この取付け杆１２は固定支柱７に対してヒンジ１１により所定の角度で保持可能に設けられた可動支柱９に取り付けられているから、クッション体１５の角度を利用者の使用状況に応じて自由に変えることができる。
【００２９】
上記ボ−ド体５の幅寸法は、ベッドフレ−ム１の長さ寸法のほぼ半分に設定されている。そのため、一対のボ−ド体５をフレ−ム１の幅方向他側に回動させてソファ−として利用する場合、一対のボ−ド体５はフレ−ム１の他側のほぼ全長にわたって位置するから、フレ−ム１の全長、つまりマットレス１９の全長をソファ−として有効に利用することができる。
【００３０】
ボ−ド体５をフレ−ム１の長手方向端部と、幅方向側方との間で回動変位させるための移動機構は、このボ−ド体５とフレ−ム１に設けられた横部材３とを第１のア−ム１６と第２のア−ム１７とで連結しただけであるから、構成が簡単であるばかりか、使用する部品点数も少なくてすむ。
【００３１】
この発明は上記一実施の形態に限定されず、種々変形可能である。たとえば、上記一実施の形態ではボ−ド体を、フレ−ムの長手方向一端側と他端側とからそれぞれ幅方向一端側へ回動変位させることができるようにしたが、どちらか一方のボ−ド体だけを回動変位させることができるようにしても、ソファ−として利用することができる。
【００３２】
【発明の効果】
請求項１の発明によれば、フレ−ムの長手方向端部と幅方向一端側との間でボ−ド体を回動変位させることができるようにした。
そのため、ボ−ド体をフレ−ムの長手方向端部に位置させれば、そのボ−ド体をベッド用のヘッドボ−ドおよびフットボ−ドとして利用できるから、ベッドとしての性能や外観を向上させることができ、幅方向一端側へ移動させればソファ−用の背もたれとして利用することができる。つまり、ベッドとして要求される性能を十分に備えたソファ−ベッド装置を提供することができる。
【００３３】
しかも、ボ−ド体を移動させるための移動機構は、このボ−ド体とフレ−ムとを一対のア−ムで連結するだけであるから、構成が簡単であるとともに部品点数も少なくてすむ。
【００３４】
請求項２の発明によれば、ボ−ド体の幅寸法をフレ−ムの長さ寸法のほぼ２分の１に設定した。
そのため、ベッドからソファ−に変換したとき、一対のボ−ド体はフレ−ムの一側の全長にわたって位置するから、上記フレ−ムの全長をソファ−として有効に利用することができる。
【図面の簡単な説明】
【図１】この発明の一実施形態を示すソファ−ベッド装置の分解斜視図。
【図２】同じくフレ−ムの平面図。
【図３】同じくベッドの状態の平面図。
【図４】同じくベッドの状態の側面図。
【符号の説明】
１…フレ−ム
２ａ、２ｂ…脚部材
３…横部材（取付け部材）
５…ボ−ド体
１６…第１のア−ム
１７…第２のア−ム
【図１】
0003579221.tif 000002
【図２】
0003579221.tif 000003
【図３】
0003579221.tif 000004
【図４】
0003579221.tif 000005